(57)【要約】【課題】建造物の壁や、門柱、門塀、塀といった外部構造物に、簡便に用いることのできるステンドグラス様装飾構造体を提供する。【解決手段】比較的小さなガラス片を用い、既存の枠体の中に複数の色ガラス片と充填剤からなるガラス片の集合体を一体的に形成する。【選択図】          図１
2005059567.tif 000002
【特許請求の範囲】
【請求項１】
表裏方向に貫通する空洞部を有する枠体に、複数個の厚肉半透明色ガラス片と充填材とを備えたガラス片集合体を、枠体に一体的に形成した装飾構造体。
【請求項２】
ガラス片の大きさが、１０ｃｍ×１０ｃｍ以下であることを特徴とする請求項１記載の装飾構造体。
【請求項３】
枠体が汎用規格品の建築用有孔ブロックであり、ガラス集合体が枠体内の空洞部に一体的に形成され、かつ、空洞部が残存することを特徴とする、請求項２記載の装飾構造体。
【請求項４】
請求項１記載の装飾構造体を、その一部あるいは全部に用いることを特徴とする外部構造物。
【請求項５】
表裏方向に貫通する空洞部を有する枠体に、複数個の半透明色ガラス片と、充填材とを備えたガラス片集合体を、枠体に一体的に形成することを特徴とする、装飾構造体の製造方法。
【請求項６】
請求項５記載の装飾構造体の製造方法を用いて製造することを特徴とする装飾構造体。
【発明の詳細な説明】
【発明の詳細な説明】
【技術分野】
【０００１】  本発明は、ステンドグラス様の装飾構造体および、その製造方法に関するものである。建造物の内壁、外壁、および外構と呼ばれる、外部構造物であるところの門柱、門塀、塀等に用いる装飾構造体に関するものである。
【背景技術】
【０００２】  従来から、ステンドグラス様の装飾構造体が種々提案されている。その一つとして、セメントブロック、ガラスブロック等の種々の建築用ブロックが提供されているが、そのなかでも、金属や鉄筋コンクリート製の枠体に厚肉で種々の色彩の透明ガラス片を複数個嵌め込んでなる建築用ブロックが提案されている。これらは、優れた意匠効果を有している。
【特許文献１】特開平８−９３１２７
【特許文献２】実開昭６１−１０７８１３
【発明が解決しようとする課題】
【０００３】  しかしながら、上記の建築用ブロックは、意匠効果を有するものの、建造物の一部として用いられる物であり、ガラス片自体も大きく、それを支えるための枠体も金属や鉄筋コンクリート製の頑丈な特注品とならざるを得ず、建築用として汎用のものでないため、塀、壁、門柱などの外部構造物に簡便に用いることができなかった。また、そのような枠体にガラス片を嵌め込む製造方法は、複雑で時間のかかるものであり、量産化は難しいものであった。しかも、それらの枠体は強度を得るため頑丈な大型のものとならざるを得ず、そのため、重量も大きく据付も困難で、特別な建造物などの装飾用としてのみ使われていた。一部、個人の建造物にも利用されてはいるが、高価な特別注文品であった。
【０００４】  一方、中世よりヨーロッパ各地の教会で内壁の装飾として広まり、その後世界に普及した一般的なステンドグラスは、薄い板ガラスをハンダでつなぎ合わせる手法のものであり、建物の一部に使用する場合には、強度を持つ鉄製の枠体に嵌め込み、それを支えることが必要であった。そのために、取り付け位置の内壁の強度を考慮しつつ、ステンドグラスを効果的に見せるための位置決め等、建物の設計段階からの検討が不可欠であった。
ここで、このような板ガラスを使用したステンドグラスを外部構造体、特に外構と呼ばれる門まわりや塀等で用いることは、安全面、強度面から到底不可能なことであり、細かい網目状のカバーで保護するあるいはガラスに代えてアクリル板も用いるなどの特殊な工夫がなくては用いることができなかった。
【０００５】  本発明の目的は、上記のようなステンドグラス、装飾構造体における問題点、および、特に製造方法における問題点を解決することにある。そのため、建築材料として汎用規格品の有孔ブロックおよび厚肉ガラス片を用いること、そして、その隙間を樹脂で埋め、有孔ブロックの孔などに、厚肉ガラス片の装飾構造体を一体的に作りこむことで、外部の壁や門柱、門塀、塀といった外部構造物にも、簡便に用いることができるステンドグラス様構造物を提供することにある。
【課題を解決するための手段及びその効果】
【０００６】  上記課題を解決するための手段である、本発明は、表裏方向に貫通する空洞部を有する枠体に、複数個の厚肉半透明色ガラス片と充填材とを備えたガラス片集合体を、枠体に一体的に形成した装飾構造体である。ここでいう厚肉ガラス片とは、約２５ｍｍ厚のキャスト・ガラス（鋳込みガラス）から切り出したダルガラスとよばれるガラスピースのことを指す。厚肉半透明色ガラス片の色は無色透明なものも含み、また、半透明色ガラスとは光を透過する色ガラスを指す。さらに、ここで、本願発明において「枠体に一体的に形成した」とは、枠体に規定された空洞部の中にガラス片集合体が作り込まれていることを指している。即ち規定された空洞部の空間内に厚肉ガラス片を配置し隙間を充填材で充填することを意味しており、この点が従来技術と異なるところである。
【０００７】  また、本発明は、上記ガラス片の大きさが、１０ｃｍ×１０ｃｍ以下であることを特徴とする。さらには、７ｃｍ×７ｃｍ以下が望ましい。そのような小さなガラス片を使用することで、規定された空間に作りこむことができるのである。
さらに、上記ガラス片は、シェルカット模様を有するガラス片であることが望ましい。ここで、シェルカットとは、ほぼ直方体のガラス片を多面体にするために一端面を削ぎとる際、剥ぎ取られた本体部分の形状が貝殻模様となるために、そう呼ばれる。
【０００８】  また、ここでは、上記枠体が、建築用有孔ブロックであり、該建築用有孔ブロックが汎用規格品であることが特徴である。また、上記ガラス集合体が、枠体内の空洞部の一方端あるいは途中に、空洞部が残存することが特徴である、が、空洞部全体に形成されることもある。また、建築用有孔ブロックとは、最近、外部構造物においてよく用いられる、汎用規格品の有孔ブロックと総称されるものである。これは、空洞部を有する、コンクリート製あるいは磁器質・せつ器質・陶器質等のセラミック製のブロックを指す。
【０００９】  ここでは、上記枠体が、建築用有孔ブロックであることが非常に重要なポイントとなる。建築用ブロックには、高さのある大きな塀を作り上げるための鉄筋を縦横に配置するための溝が予め設けられているものがほとんどである。そのことによって、有孔ブロックは壁の任意の位置に配置することが可能である。そして、そのブロックの内側の空洞部に小さくカットされた厚肉のガラス片の周囲をすき間無く充填剤で連結し、かつ枠体とも一体にすることによって外部でも危険でないガラス片集合体が完成するのである。空洞部は５ｃｍ×５ｃｍ位の小さなものはいうに及ばず、１／２サイズの建築用有孔ブロックとしては最大級の１２ｃｍ×１２ｃｍのものであったとしても、その内側に一体的に形成された（充填剤で連結された）厚肉のガラス片を用いたステンドグラス自体を容易に叩き割ることはできない。
【００１０】  また、もう一つの本願発明は、表裏方向に貫通する空洞部を有する枠体に、複数個の半透明色ガラス片と、充填材とを備えたガラス片集合体を、枠体に一体的に形成することを特徴とする、装飾構造体の製造方法である。
【００１１】  これを、より詳細に述べると、表裏方向に貫通する空洞部を有する枠体に、複数個の半透明色ガラス片と、充填材とを備えたガラス片集合体を、枠体に一体的に形成することを特徴とする、装飾構造体の製造方法で、少なくとも下記、（１）〜（５）の工程を有することを特徴とする装飾構造体の製造方法である。
（１）枠体の空洞部の一端を覆う。（２）空洞部内にガラス片を配置する。（３）ガラス片の上面をフィル厶で覆う。（４）ガラス片の間隙に、充填材を充填する。（５）空洞部の一端の覆いを取り、フィルムを取り除く。
【００１２】さらに、望ましくは、少なくとも下記、（１）〜（７）の工程を有することを特徴とする、装飾構造体の製造方法である。
（１）枠体の空洞部の一端を覆う。（２）枠体の空洞部の、残存させる空洞部に「砂」を詰める。（３）砂の上にガラス片を配置する。（４）ガラス片に充填材が付着したままにならないように、ガラス片の上面をフィルムで覆う。（５）ガラス片の間隙に、ゲル状の充填材を充填する。（６）充填材が固化したら、空洞部の一端の覆いを取り、空洞部に詰めた「砂」を取り除く。（７）フィルムを取り除く。
ここでいう「砂」とは、一般の「砂」に限らず、粒状で粒が小さく、また、粒の大きさが比較的均一なものであればよい。また、ここでいう「ゲル状」とは、粘性を有する液体の様子を指す。
【００１３】  ここで、本発明の必要性と実用性について、その背景を少し述べると、日本の都市市街地、及び都市近郊における土地の価格は、諸外国に比して依然として高い水準を示している中、住宅の大型化が進み、加えて複数台の駐車スペース確保と、出入り経路の確保の必要性等を背景に、家屋の全周囲に、高い塀をめぐらすことは少なくなってきている。
しかしながら、セキュリティーの確保もまた、重要な課題であるために、特に道路側あるいは、出入り口に近い玄関側を閉鎖する必要性もまた、高いといえる。そこで、生垣で人目と出入りを遮断する方法も古くから行われ、近年緑化の観点から、生垣に補助金を出す自治体もあり、近隣にも歓迎される方法ではあるが、生垣を維持するのには費用と手間が少なからず掛かり、またその寿命は１０年強が関の山である。
以上のような理由から、依然として、外構としての塀を造る需要は高く、また、オープンな外構でよしとしても、尚、道路（公共部分）と自宅敷地との境を明らかにする必要性と、表札やポスト、インターフォン等を設置する為に、独立した門柱や、門塀のみを造る場合は多いといえる。その際、多様化している建物の外観に合わせ、塀の仕上げも種々のものが提案されてはいるが、いずれにしても一枚の板状の壁である限り、内部へは光も風も届かず、内側は陰気な場所となりがちで、植物や人にとっても良い環境とは言い難い。
そこで、壁自体に、部分的にスリットを開ける、貫通する空洞部を設ける、という手法が取られ、これは文字通り風穴を開けると同時に、単調な壁面にアクセントを与え、閉鎖感を和らげるにも有効な手段である。しかしながら、高さのある塀を造る際には、倒壊の危険を避けるため、縦横に何ミリ太さの鉄筋をどの間隔でとおし、尚且つ、控え壁をどの間隔で設けなければならないなどの、厳しい基準が有り、そのために、好みの形、好みの大きさの穴を、好みの場所に設けることは難しい。
そこで、鉄筋を配置することを前提にした、しかも、四角や丸い空洞部をもつ建築ブロックが考案され、住宅の外構だけでなく、ビルやマンションのベランダ等にも、閉鎖感のすくない壁として普及してきた。ところが一方、目線に近い高さのものは覗かれやすい、穴からモノを投げ込まれる、等の難点があった。
そこで、発明者は、上述の問題を解決するために、アクセント、デザインとしての穴は確保しつつ、覗かれない、しかも集めた光を、最大限に利用し見る人に安らぎさえ感じさせる、プリズムのようなキャスト・ガラスを組み込んだブロックを考案したのである。それが本発明である。
【００１４】  そして、上記、本願発明により、建造物の壁や門柱、門扉、門塀、塀といった外部構造物にも簡便に用いることができる、ステンドグラス様構造物を提供することが可能となったのである。シェルカットにより多面体となって、プリズムのように光を分散させる、キャストガラスで構成されたステンドグラスは、自然の太陽光を受けてその輝く様が美しく、かといって華美ではなく、透明感の有るさわやかな印象の中にも、あたかも海底から見上げた光のような奥深い神秘的な魅力を持ち、現代人が求める「癒し」の素材として最適である。さらに、一般のステンドグラスは大型で、オーダーメードにならざるを得ず、設計段階からの計画が不可欠で、価値はあっても非常に高価なものにならざるを得なかった。だが、本願発明により、ステンドグラスの持つ美しさを手軽に、身近に楽しむことができるようになったといえる。
【発明の実施の態様】
【００１５】  本発明においては、鉄筋を配することを前提とした、汎用規格品の建築用ブロックを構成することを特徴としている。その長所は、１）すでに、流通している汎用品を用いることで、装飾建築用ブロックもまた既存の流通を利用できる。２）有孔ブロック自体が、強度的にも十分な設計となっていることから、従来の使用場所たとえば外構、塀、壁などでブロックを用いることができるところは、そのまま使用することができる。３）ガラスのデザインの組み合わせと配置で、オリジナルな壁が無限に、しかも、手軽にできあがる。
上記のように使用が簡便であるにもかかわらず、シェルカットを施した、本物のキャスト・ガラスを使用した本発明品は、朝日・夕陽の陽射しの変化、晴天・曇天の日の変化、さらに夜間の人工光源などの、光の量と質の変化を取り込んで、厚いガラス片に内包する。その様は、あたかも海底から海水を通して太陽光を仰ぎ見るような、やわらかな奥行きの有る間接光を楽しめる。そのことが本発明の特徴である。
そして、このような本発明の装飾建築用ブロックを、たとえば、塀の一部に組み込むことにより、無機質な壁を、非常に装飾性の高いものにすることができる。もちろん、壁一面に使用することも可能である。
つぎに、実施例に沿って、図面を用いて説明する。
【実施例１】
【００１６】    図１に示すように、本発明の装飾構造体１おける枠体２として、既製品の有孔コンクリートブロック（スクリーンブロック、笹原メーソンリー（株）製）を用いる。このブロックの大きさは、１９０ｍｍ×１９０ｍｍであり、一般に用いられるブロックの１／２幅のものである。厚みは１２０ｍｍである。そして、このブロックの中心にある約１２０ｍｍ×１２０ｍｍの角穴の空洞部３に数個のガラス片４をはめ込んである。
ここで、ガラス片は、半透明色ガラス片である。ガラス片とガラス片の間の隙間、ガラス片とブロックの間の隙間は、樹脂製の充填材５で埋めている。そして、この複数のガラス片と充填材とを備えたガラス片集合体６を空洞部３に一体的に形成しているのである。ここで用いられている半透明色ガラス片は、キャスト・ガラス（鋳込みガラス）あるいはダルガラスとも呼ばれる厚さ約２５ｍｍの色ガラスを、カットし、さらにシェルカットを施した厚板のステンドグラス、着色ガラスである。
さらに、図２に示すように、ガラス片集合体６が一方の端に構成されていることにより、角穴には残空間７として広い空間が残りガラスを通した透過光８が、角穴を構成するブロックの内壁に映り込み、煌めいて意匠性を高めている。
色ガラスは、無色を含め、数十種類の色が有り、また、形状は自由に加工できることから、いくつものカラーとパターンの組み合わせが可能で、さまざまなデザインができる。この数十種類の色が光を受けて醸し出す雰囲気は、まさに、現代に求められる「癒し」の素材として最適である。また、図２の状態をより詳細に表すために、図３に断面図を示した。矢印で示したＡの方向は、図２の矢印で示したＡの方向と同一である。このように、数個の同色あるいは異なった色のガラス片は角穴の一方に埋め込まれている。すなわち、奥行き１２０ｍｍの角穴一方の端に約１０〜２５ｍｍの厚さで、ガラス片と充填材からなるガラス片集合体が構成されている。これにより、空洞部３に、残空間７が残るのである。
図４（ａ）（ｂ）にガラス片の表裏の様子を示した。（ａ）に示す一方の面は、もともとのガラスの面であり概平面である。（ａ）におけるＢ方向からみた面が（ｂ）で、（ｂ）に表した面は多数のシェルカット部９を有している。
【実施例２】
【００１７】  実施例１の角穴を有孔部とするブロックに代えて、丸穴の有孔部を有するブロックを用いた。実施例２においては、既製品の有孔レンガ（スクリーンレンガ、笹原メーソンリー（株）製）を用いる。このブロックの大きさは、１９０ｍｍ×１９０ｍｍであり、一般に用いられるブロックの１／２幅のものである。厚みは１２０ｍｍである。そして、このブロックの有孔部すなわち空洞部は略丸型、大きさは直径が１００ｍｍである。実施例１と同様に数個の半透明色ガラス片が、有孔部の一方に埋め込まれている。このレンガは焼き物で、そのまま塀などの色とコーディネートできる。
【実施例３】
【００１８】  大きさ１９０ｍｍ×３９０ｍｍのＧＲＣ（ガラス繊維強化コンクリート）製建築用ブロック（美ブロブロックＳ１型２０タイプ、四国化成工業（株）製）の正面図を図５に示した。本実施例では、これを枠体２として用い、窓型の空洞部３に、実施例１と同様に、ガラス片集合体６を枠体と一体に形成する。本実施例の空洞部３の形状は、アーチ型をしており、その縁取りにも装飾性があり、単体でも、意匠性に優れた装飾構造体１を作ることができる。
【実施例４】
【００１９】  大きさ２００ｍｍ×２００ｍｍ、厚さ３０ｍｍの板状のセラミック板（窯変敷瓦、（株）明石窯業製）に、表裏に貫通する１４０ｍｍ×１４０ｍｍの空洞部を予め設けておき、これを枠体２とする。そして、この空洞部に、実施例１と同様にガラス片４と充填材５を備えたガラス片集合体を枠体２と一体に形成する。この場合は、空洞の残存部は無く、空洞部はガラス片集合体で埋め尽くされる。
この実施例を図６に示す。この板状セラミック板を使用する場合は、空洞部の形状は、一つの四角形に限らず、種々考えられ、例えば、多角形や丸の空洞部を複数個、設けることも可能である。
【実施例５】
【００２０】  本発明の装飾構造体を外部構造物に使用した例として、外部構造物１０としての塀の一部に本発明を用いた実施例を図７に示す。ここで装飾構造体１は実施例１に示した装飾構造体１である。有孔ブロック１１は、装飾構造体１の枠体２に用いたものであり、中心部に表裏に貫通する空洞部を有しているために塀内部への通気性が向上する。このように、従来のブロック積みを基本とする塀に、本発明の装飾構造体を簡便に組み込むことで、意匠性を高めることができる。
【実施例６】
【００２１】  大きさ９０ｍｍ×９０ｍｍ、厚さ９０ｍｍのせつ器質のブロックを枠体２として用いる。これは表裏に貫通する略５０ｍｍ×５０ｍｍの空洞部を有しており、実施例１と同様に、数個の半透明色ガラス片を、空洞部の一方に埋め込んで装飾構造体としている。本実施例の場合、ガラス片は５０ｍｍ×５０ｍｍ以下のものを１個用いても、複数用いても良い。複数用いる場合は、ガラス片は３０ｍｍ×３０ｍｍ以下が望ましい。本実施例においては、これまでに述べた他の実施例に比べ装飾構造体の大きさが小さく、例えば単体で出窓や窓際の机の上において装飾品として用いても、また図８に示すように複数個重ねても美しく、十分意匠性を有するものとなる。複数個重ねる場合は、適当な台にのせる、接着するあるいは支持体を設ける等の工夫により安定感の良い装飾品となる。もちろん、小さくてもこれを積み上げて塀を構成することも可能な設計となっているので、外部構造物のみならず、建築の外壁に設計者の意図に沿った意匠で連続して組込むことができる。そうすることは、建築内部に従来のステンドグラスにも増して奥行きのある輝きと存在感を醸し出し、現代建築にもマッチするナチュラルでモダンな空間を演出することができる容易でかつ有効な手段であると言える。
【発明の効果】
【００２２】  このように、本発明によれば、既製品のブロックや煉瓦に色ガラスを組み込むことによって、ステンドグラスの持つ美しさを身近に楽しむことができるようになった。
【図面の簡単な説明】
【図１】本発明の装飾構造体の一実施例を示す外観図。
【図２】同装飾構造体の後方から見た外観図
【図３】同装飾構造体の断面図
【図４】ガラス片およびシェルカットの説明図
【図５】本発明の他の実施例に用いる枠体の正面図。
【図６】本発明の装飾構造体における他の実施例を示す外観図。
【図７】本発明の装飾構造体を用いた外部構造体の実施例を示す外観図。
【図８】本発明の装飾構造体を用いた他の実施例を示す外観図。
【符号の説明】
１  装飾構造体
２  枠体
３  空洞部
４  ガラス片
５  充填材
６  ガラス片集合体
７  残空間
８  透過光
９  シェルカット部
１０  外部構造体
１１  有孔ブロック
【図１】
2005059567.tif 000003
【図２】
2005059567.tif 000004
【図３】
2005059567.tif 000005
【図４】
2005059567.tif 000006
【図５】
2005059567.tif 000007
【図６】
2005059567.tif 000008
【図７】
2005059567.tif 000009
【図８】
2005059567.tif 000010